(57)【要約】      （修正有）【課題】加温対象部位が体内深部の場合でも、加温対象部位を局所的に加温する体内局所加温装置を提供する。【解決手段】一対の電極２０で加温対象臓器を挟むように、また、受電コイル１６が周辺臓器の間隙に配置されるように、受電部１４及び加温部を体内に埋め込み、送電部しての送電コイルを体に周回配置し、送電部に外部から電力を供給して交流電流を流すことにより、変動磁場を発生させ、送電部から発生された磁界が受電コイル１６のリング状の中空内を通り、受電コイル１６に電流が流れることにより、体外の送電部から体内の受電部１４へワイヤレスで電力が伝送され、加温部では、受電部１４で受電した電力により電極２０間に電界を発生させ、電極２０間に挟まれた加温対象臓器を加温する。【選択図】図７
2013215354.tif 000002
【特許請求の範囲】
【請求項１】
被検者の体外に配置され、該被検者の所定位置に磁界を発生させる磁界発生部と、
前記被検者の体内の加温対象部位の周辺部位または複数の該周辺部位の間に配置され、前記磁界発生部から発生された磁界の電磁誘導により生じる電力を受電する、柔軟性を有するリング状の受電コイルと、
前記受電コイルの両端の各々に電気的に接続され、前記加温対象部位を挟むように配置される少なくとも一対の電極を含んで構成され、前記受電コイルが受電した電力により電極間に電界を発生させて、前記加温対象部位を局所的に加温する加温部と、
を含む体内局所加温装置。
【請求項２】
前記電極の各々の前記加温対象部位に接する面周辺の絶縁抵抗より、前記加温対象部位に接しない面周辺の絶縁抵抗が高くなるように、前記電極の各々の周辺に絶縁材料を設けた請求項１記載の体内局所加温装置。
【請求項３】
前記受電コイルの外周を絶縁材料で被覆した請求項１または請求項２記載の体内局所加温装置。
【発明の詳細な説明】
【技術分野】
【０００１】
本発明は、体内局所加温装置に関する。
【背景技術】
【０００２】
従来、例えば深部癌の治療などのように、体内の加温対象部位を加温することが行われている。
【０００３】
例えば、空洞共振器と、この空洞共振器に高周波電力を供給する高周波発振器，高周波アンプ，同調・整合回路と、高周波発振器，高周波アンプ，同調・整合回路を制御する制御回路とを備え、空洞共振器内の電磁界分布を利用して被治療体を加温する温熱治療器において、空洞共振器内に電界集束手段を備えた温熱治療器が提案されている（例えば、特許文献１参照）。特許文献１に記載の温熱治療器では、空洞共振器へ供給された高周波電力により形成される電界または電界分布は、電界集束手段である誘電体により制御され、誘電体の比誘電率、形状または配置に基づいた集束電界となって、被治療体の加温領域を加温する。
【０００４】
また、表面に生体成分を結合させたリボゾーム内に強磁性体の超微粒子を埋め込んでなるマイクロカプセルを癌組織近傍へ送給する送給手段と、癌組織近傍から血液とともに前記超微粒子を導出する導出手段と、該導出手段により導出された超微粒子を捕集する捕集手段と、該捕集手段を通過した血液を体内へ還流させる還流手段と、前記癌組織近傍に送給された超微粒子に対して共振エネルギーを付与する共振エネルギー付与手段とを備えて構成された温熱治療器が提案されている（例えば、特許文献２参照）。特許文献２に記載の温熱治療器では、癌組織近傍に送給された超微粒子に対して共振エネルギーを付与して、超微粒子の共振によって癌組織を選択的に加熱している。
【先行技術文献】
【特許文献】
【０００５】
【特許文献１】特開２００６−２５４６２９号公報
【特許文献２】特開平４−１９８５４８号公報
【発明の概要】
【発明が解決しようとする課題】
【０００６】
しかしながら、特許文献１に記載の技術では、誘電体により電界を収束させて入るが、収束された電界を体表面から照射するため、体内の電界が通過する部分は加温されることとなり、加温対象部位が体内の深部であるような場合には、加温対象部位以外も加温してしまうことになる。
【０００７】
また、特許文献２に記載の技術でも、体表面から加温対象部位周辺を含む全体を共振させているため、マイクロカプセルが癌組織以外の正常部位近傍に存在する場合には、正常部位まで加温されてしまう可能性があった。
【０００８】
このように、従来技術では、体表面から加温対象部位とその周辺部位とを誘電加熱することにより、正常部位（例えば、皮膚、筋、癌組織以外の臓器）までが加温されてしまい、副作用の発生など患者への負担が大きくなることを避けるため、加温時間を制限するなど、十分な加温が行えない場合がある、という問題があった。
【０００９】
本発明は、上記の問題点を解決するためになされたもので、加温対象部位が体内深部の場合でも、加温対象部位を局所的に加温することができる体内局所加温装置を提供することを目的とする。
【課題を解決するための手段】
【００１０】
上記目的を達成するために、本発明の体内局所加温装置は、被検者の体外に配置され、該被検者の所定位置に磁界を発生させる磁界発生部と、前記被検者の体内の加温対象部位の周辺部位または複数の該周辺部位の間に配置され、前記磁界発生部から発生された磁界の電磁誘導により生じる電力を受電する、柔軟性を有するリング状の受電コイルと、前記受電コイルの両端の各々に電気的に接続され、前記加温対象部位を挟むように配置される少なくとも一対の電極を含んで構成され、前記受電コイルが受電した電力により電極間に電界を発生させて、前記加温対象部位を局所的に加温する加温部と、を含んで構成されている。
【００１１】
本発明の体内局所加温装置によれば、被検者の体外に配置された磁界発生部が、被検者の所定位置に磁界を発生させると、柔軟性を有するリング状の受電コイルが、被検者の体内の加温対象部位の周辺部位または複数の周辺部位の間に配置された状態で、磁界発生部から発生された磁界の電磁誘導により生じる電力を受電する。そして、受電コイルの両端の各々に電気的に接続され、加温対象部位を挟むように配置される少なくとも一対の電極を含んで構成された加温部が、受電コイルが受電した電力により電極間に電界を発生させて、加温対象部位を局所的に加温する。
【００１２】
このように、体外から体内への電力の伝送には磁界エネルギーを利用するため、加温を伴わず必要な電力の供給を行うことができる。また、対象部位の加温には対象部位を挟むように配置された少なくとも一対の電極によって作用される電界エネルギーを利用するため、電極間に挟まれた対象部位を加温することができる。これにより、加温対象部位が体内深部の場合でも、加温対象部位を局所的に加温することができる。
【００１３】
また、前記電極の各々の前記加温対象部位に接する面周辺の絶縁抵抗より、前記加温対象部位に接しない面周辺の絶縁抵抗が高くなるように、前記電極の各々の周辺に絶縁材料を設けることができる。絶縁材料は、電極の各々の全体または一部を被覆するように設けてもよいし、電極側から加温対象部位に向けて広がるように設けてもよいし、電極周辺に独立して設けてもよい。
【００１４】
これにより、加温する方向を制御し、電極間に挟まれた加温対象部位以外の部位が加温されることをより抑制することができる。
【００１５】
また、前記受電コイルの外周を絶縁材料で被覆することができる。これにより、受電コイルが配置された周辺部位へ及ぼす影響を抑制することができる。
【発明の効果】
【００１６】
以上説明したように、本発明の体内局所加温装置によれば、体外から体内への電力の伝送には磁界エネルギーを利用し、対象部位の加温には電界エネルギーを利用するため、加温対象部位が体内深部の場合でも、加温対象部位を局所的に加温することができる、という効果が得られる。
【図面の簡単な説明】
【００１７】
【図１】本実施の形態に係る体内局所加温装置を示す概略図である。
【図２】送電部を示す概略図である。
【図３】送電部の他の例を示す概略図である。
【図４】受電部を示す概略図である。
【図５】受電コイルの概略断面図である。
【図６】受電部の電極部分を示す概略図である。
【図７】受電部を体内に配置した状態を示す概略図である。
【図８】本実施の形態に係る体内局所加温装置の等価回路を示す図である。
【図９】受電部の電極部分の他の例を示す概略図である。
【図１０】本実施例の解析モデルを示すイメージ図である。
【図１１】本実施例の解析結果を示す水平断面におけるＳＡＲ分布図である。
【図１２】本実施例の解析結果を示す横から見た断面におけるＳＡＲ分布図である。
【図１３】本実施例の解析結果を示す背中から見た断面におけるＳＡＲ分布図である。
【図１４】従来のハイパーサーミアの解析モデルを示すイメージ図である。
【図１５】従来のハイパーサーミアの解析モデルによる解析結果を示すＳＡＲ分布図である。
【図１６】電極を絶縁材料で被覆した解析モデルを示すイメージ図である。
【図１７】電極を絶縁材料で被覆した解析モデルによる解析結果を示すＳＡＲ分布図である。
【図１８】（ａ）他の実施例における絶縁材料を含む電極部分を示す概略図、及び（ｂ）〜（ｄ）絶縁材料追加モデルを示すイメージ図である。
【図１９】他の実施例における絶縁材料追加モデルを示すイメージ図である。
【図２０】（ａ）ノーマルモデル、及び（ｂ）絶縁材料追加モデルによる解析結果を示すＳＡＲ分布図である。
【発明を実施するための形態】
【００１８】
以下、図面を参照して本発明の実施の形態を詳細に説明する。
【００１９】
図１に示すように、本実施の形態に係る体内局所加温装置１０は、体外に配置される送電部１２と、体内に配置される受電部１４及び加温部１９とを含んで構成されている。
【００２０】
送電部１２は、体外に配置され、外部から電力が供給された際に磁界を発生する。送電部１２は、例えば、図２に示すように、Ｎ１回巻きの送電コイルとすることができ、人体に周回配置される。なお、送電部１２の形態は、このように人体に周回配置される場合に限定されず、図３に示すように、人体の一面側に配置されるようにしてもよく、受電部１４が配置された体内に向けて磁界が発生するように配置されればよい。
【００２１】
受電部１４は、図４に示すように、送電部１２から発生された磁界の電磁誘導により生じる電力を受電する受電コイル１６と、受電コイル１６の外周を被覆する絶縁材料１８とを含んで構成されている。
【００２２】
受電コイル１６は、柔軟性を有するリング状のＮ２回巻きのコイルである。受電部１４が体内に配置されることを考慮して、受電部１４自体の太さが太くなることを防止するために、Ｎ２は２回程度とするのが望ましい。また、リング状に形成された受電コイル１６の中空部分の面積が大きいほど、高い電力伝送効率を得ることができる。また、中空部分の面積が大きいほど、生体組織を通過する電力密度が低くなり、生体への電力吸収を小さくすることができる。この点を考慮して、形成されるリング状の中空部分の面積が適切な大きさとなるように受電コイル１６のサイズを決定する。例えば、受電部１４を腹部へ埋め込む場合には、受電コイル１６が体内に配置された状態における受電コイル１６の中空部分の面積が１００〜１４０ｃｍ２程度となるようなサイズとする。受電コイル１６の材料としては、柔軟性を確保するため、ポリウレタン等を用いることができる。
【００２３】
絶縁材料１８は、厚さ２〜４ｍｍ程度の絶縁性物質を用いることができ、柔軟性を有する受電コイル１６の変形に追従可能なように、柔軟性を有する材料とする。絶縁材料１８は、受電コイル１６のＮ２回巻き部分が１つのリング状となるように受電コイル１６を被覆する。Ｎ２＝２回の場合の図４におけるＡ−Ａ'断面の概略図を図５に示す。なお、図５では、断面形状が楕円形の場合を示しているが、これに限定されず、八の字断面となるように受電コイル１６を絶縁材料１８により被覆してもよい。
【００２４】
加温部１９は、受電コイル１６の両端の各々に電気的に接続された一対の電極２０と、電極の一部を被覆する絶縁材料２２とを含んで構成されている。
【００２５】
電極２０は、銅、アルミニウム、ステンレス銅、チタン、白金、銀等の導電性物質を用いることができる。電極２０のサイズは、電極間に挟む加温対象臓器の大きさにより適切なサイズとすることができるが、例えば、厚さ１ｃｍ前後×直径２ｃｍ程度の平面視円形とすることができる。なお、電極２０の形状はこの形状に限定されるものではなく、長方形、正方形、楕円形等とすることができる。絶縁材料２２は、厚さ２〜４ｍｍ程度の絶縁性物質を用いることができる。
【００２６】
加温部１９周辺を拡大した概略図を図６に示す。電極２０は、受電コイル１６の始点及び終点の各々に電気的に接続され、電極２０間に加温対象臓器を挟んで配置される。電極２０は、加温対象臓器に接する面が露出し、その他の面が絶縁材料２２で被覆されている。
【００２７】
受電部１４及び加温部１９は、開腹手術または内視鏡手術等の埋込手術により、図７に示すように、一対の電極２０で加温対象臓器を挟むように体内に埋め込まれる。また、柔軟性を有する受電コイル１６は、加温対象臓器の周辺に存在する周辺臓器または複数の周辺臓器の間に配置される。周辺臓器に配置される場合とは、例えば、胃、腸、肺等の内部に配置される場合である。また、複数の周辺臓器の間に配置される場合とは、周辺臓器と周辺臓器との間隙に配置される場合や、密着した周辺臓器間に配置される場合である。配置された状態において、リング状を形成する受電コイル１６の中空部分には周辺臓器が入り込んでもよい。受電コイル１６のリング形状は真円を保ったまま体内に配置する必要はなく、受電電力が中空部分の面積に比例することを考慮し、加温対象臓器の加温に必要な電力が確保できる程度の中空部分の面積となるような形状で受電コイル１６部分が配置されればよい。
【００２８】
なお、受電部１４及び加温部１９は、手術によらず、口等から挿入し、例えば、胃、腸、肺等に配置することも可能である。この場合、加温部１９により、胃や腸の内壁などを局所的に加熱することができる。
【００２９】
次に、本実施の形態に係る体内局所加温装置１０の等価回路を示す図８も参照しつつ、本実施の形態に係る体内局所加温装置１０の作用について説明する。
【００３０】
まず、図７に示すように、一対の電極２０で加温対象臓器を挟むように、また、受電コイル１６が周辺臓器または複数の周辺臓器の間に配置されるように、受電部１４及び加温部１９が体内に埋め込まれる。そして、送電部１２としての送電コイルを体に周回配置する。
【００３１】
次に、送電部１２としての送電コイルに外部から電力を供給して交流電流を流すことにより、変動磁場を発生させる。送電部１２から発生された磁界がリング状の受電コイル１６の中空内を通ることにより、受電コイル１６に電流が流れる。これにより、体外の送電部１２から体内の受電部１４へワイヤレスで電力が伝送され、加温部１９では、受電部１４で受電した電力により電極２０間に電界を発生させる。電極２０間に発生した電界により、電極２０間に挟まれた加温対象臓器が加温される。
【００３２】
なお、体外から体内への磁束の通過によっては、生体組織は加温されず、電界が通過する箇所では生体組織は加温されるため、電極２０で挟まれた加温対象臓器の部分が局所的に加温されることになる。
【００３３】
以上説明したように、本実施の形態の体内局所加温装置１０によれば、体外から体内への電力の伝送には磁界エネルギーを利用し、対象部位の加温には電界エネルギーを利用するため、加温対象部位が体内深部の場合でも、加温対象部位を局所的に加温することができる。
【００３４】
また、受電コイル１６の巻き数を少なくして太さが太くならないようにすることで、受電部１４を周辺臓器と周辺臓器との小さな間にも配置することができるため、生体への悪影響を抑制することができる。また、送電部１２と受電部１４間で電力をワイヤレス伝送するため、受電部１４へ電力を供給するための電線が皮膚を貫通することなく、長期間の使用が可能となる。かかる構成は、生体の内外を有線で結ぶことがなくなるため、生体に対する経時的な感染症の予防にも効果がある。
【００３５】
従来技術のワイヤレス電力伝送の受電コイルは、生体に与える影響を抑制するためにできる限り小さいコイルを作り、円盤状のコイル（例えば、外径７ｃｍ程度、内径２ｃｍ程度、厚さ１−２ｍｍ程度）を臓器の隙間や皮膚と筋層との間に埋め込む方法が一般的であった（参考文献「柴建次  他、「人工心臓用空心型経皮エネルギー伝送システム―体外情報による出力電圧の安定化制御―」、生体医工学、Vol.43(2005)、No.4 pp.670-676」）。しかしながら、磁界のエネルギー伝送を用いて、電力を体内に配置された受電部に送る場合は、受電コイルの面積を大きくすればするほど、伝送効率が上がるが、受電コイルの面積を大きくすることは、生体に与える影響が大きくなるという点で相反していた。
【００３６】
これに対して、本実施の形態に係る体内局所加温装置１０では、受電コイル１６を、柔軟性を有するリング状としたことで、生体組織や臓器へ与える影響を抑制して体内に埋込むことができる。さらに、受電コイル１６が形成するリング状の中空部分の面積も大きくすることができ、生体に与える影響を軽減しつつ、高い伝送効率を得ることができる。
【００３７】
なお、電極２０は、図９に示すような袋電極としてもよい。図９の袋電極は、絶縁材料２２２からなる袋に導電性溶液２２０を入れて電極を構成したものである。絶縁材料２２２は、柔軟性を有する材料を用い、加温対象臓器と接触しない面は絶縁抵抗を高くし、加温対象臓器と接触する面は絶縁抵抗を極端に小さくする。絶縁抵抗の高低は、絶縁材料２２２の厚さを変えたり、材料を変えたりすることにより調整可能である。このような袋電極を用いることにより、袋電極自体が柔軟性を有するため、加温対象臓器と接触する面が臓器の形状に合わせた形に変形でき、加温対象臓器に袋電極の表面を密着させることができる。電極と加温対象臓器との接触点が１点の場合に比べ、電流集中を防止することができ、必要以上の加温を防止することができる。また、袋電極を用いることにより、受電部１４全てが柔軟性を有する材料で構成されることとなるため、受電部１４を体内に埋め込む際に、体に開けた小さな穴から入れることができ、開腹手術が不要で内視鏡的に埋込手術を行うことができる。
【００３８】
＜実施例＞
【００３９】
以下に、実施例について示す。本実施例では、図１、２、及び４に示す構成で、加温対象部位として膵臓の一部を加温する構成について、電磁界解析によって検証を行う。検証にあたり、電気特性や形状が人体と等しい人体モデルとして、ＮＩＣＴの提供する日本人男性の平均人体モデル（ＴＡＲＯ）の腹部を形状データとして用い、この形状データに、ＩＦＡＣが提唱する臓器の導電率及び比誘電率（表１）を入力したものを、人体モデルとした。なお、導電率及び比誘電率は、電磁界エネルギーの周波数２ＭＨｚにおける値とした。
【００４０】
【表１】
2013215354.tif 000003
【００４１】
表１において、導電率（Conductivity  σ）は単位長さ（１ｍ）当たりのジーメンスであり、誘電率（Relative permittivity）は真空の誘電率に対する各臓器（Organ）の誘電率比である。
【００４２】
送電部１２の仕様を表２に、受電部１４の仕様を表３に、電磁界解析方法を表４に示す。また、解析モデルを図１０に示す。同図（ａ）は人体モデル周辺に配置した送電部１２部分、同図（ｂ）は送電部１２が配置される体内部分、同図（ｃ）は送電部１２、膵臓（加温対象臓器）、及び周辺臓器を抜き出した部分、同図（ｄ）は送電部１２及び膵臓を抜き出した部分、同図（ｅ）は電極２０及び膵臓を抜き出した部分を示している。ここでは、膵臓を金属電極で挟んだモデルとしている。なお、加温の評価指標としては、ＳＡＲ（生体組織の単位質量当たりの吸収電力［Ｗ／ｋｇ］）を用いた。
【００４３】
【表２】
2013215354.tif 000004
【００４４】
【表３】
2013215354.tif 000005
【００４５】
【表４】
2013215354.tif 000006
【００４６】
ＳＡＲの解析結果を図１１、１２、１３に示す。図１１（ａ）及び（ｂ）は膵臓部分を含む解析モデルの水平断面、同図（ｃ）〜（ｆ）は同断面における解析結果である。同図（ｃ）では０〜３０Ｗ／ｋｇ、（ｄ）では０〜１０Ｗ／ｋｇ、（ｅ）では０〜２Ｗ／ｋｇ、（ｆ）では０〜０．３５Ｗ／ｋｇのレンジでＳＡＲを示している。同図（ｃ）〜（ｆ）に示すように、電極２０間の生体組織（ポイントＸ、（ｄ）〜（ｆ）では点線で示している）のＳＡＲが大きくなっていることが分かる。ポイントＸは３０Ｗ／ｋｇに近い値であるが、一方、その他の部分はＳＡＲが大きい部分（ポイントＹ）でも０．３５Ｗ／ｋｇであることが分かる。また、ＩＣＮＩＲＰにより、生体に影響を及ぼさない局所ＳＡＲは１０Ｗ／ｋｇ以下であることが定められているが、同図（ｄ）及び（ｅ）から、ポイントＸ以外の箇所では、ＳＡＲが１０Ｗ／ｋｇ以下となっており、安全であることが分かる。また、図１２（ａ）は膵臓部分を含む解析モデルを横から見た断面、及び同図（ｂ）は同断面における解析結果であり、図１３（ａ）は膵臓部分を含む解析モデルの背面から見た断面、及び同図（ｂ）は同断面における解析結果である。図１２及び１３からも、電極２０間の生体組織のみＳＡＲが大きくなっていることが分かる。
【００４７】
また、従来のハイパーサーミアの解析モデル（参考文献：日本ハイパーサーミア学会監修、「全訂  ハイパーサーミア  マニュアル」、１９９９年９月３日第１版発行、２４５頁）を図１４に、ＳＡＲ分布の電磁界解析結果を図１５に示す。図１５に示す結果は、図１４に示す解析モデルの中央部分の断面図のＳＡＲ分布であり、各位置でのＳＡＲ値を最大値で割った割合（％）を示している。ここから、加温対象部位が筋の中央部（ポイントＸ０）にある場合を考えると、ポイントＸ０は１０％よりも低い値であるが、電極ボーラスに接している部位の生体組織のＳＡＲ（ポイントＹ０）は、４０〜５０％であることが分かる。ポイントＸ０とポイントＹ０とにおけるＳＡＲの比は、約１：５であり、加温対象部位よりも、他の正常な組織の方を５倍も加温してしまうことが分かる。一方、本実施例では、ポイントＸとポイントＹとにおけるＳＡＲの比は、８５：１であり、加温対象部位を正常な組織よりも８５倍加温することができ、目標部位のみを局所的に加温できる方法であることが分かる。
【００４８】
なお、上記実施例における解析モデルでは、電極２０として銅（Ｃｕ）を用いたが、電極２０として導電率が銅よりも１桁小さいチタンを用いた解析モデルにおいても同様なＳＡＲの解析結果が得られた。電極２０としてチタンを用いた場合には、生体へ及ぼす影響をより抑制することができる。
【００４９】
また、上記実施例における解析モデルでは、絶縁材料２２で被覆していない電極２０を用いて加温対象臓器（膵臓）を挟んでいる。この電極２０を絶縁材料２２で被覆することで、周辺の加温対象としていない臓器に電流が流れることも防止することができる。厚さ３ｍｍの絶縁シートで覆った場合の電磁界解析により計算した電磁界解析用モデルを図１６に、ＳＡＲ分布を図１７示す。なお、図１６では、膵臓の周りに周辺臓器は省略しているが、実際に電磁界解析を行う際には、周辺臓器もつけた状態で解析を行っている。なお、絶縁材料２２及び電極２０の電気定数を表５に示す。絶縁材料２２はシリコーンとし、電極２０はチタンとしている。
【００５０】
【表５】
2013215354.tif 000007
【００５１】
図１７は、電極２０間における等ＳＡＲ面を示しており、電磁波の周波数が６０ＭＨｚを超えると、電流は絶縁材料２２を通過し、電極２０の外側の臓器もＳＡＲが高くなっているが、６０ＭＨｚ以下では、電極の外のＳＡＲは小さいことが分かる。
【００５２】
次に、他の実施例について説明する。この実施例では、電流が加温対象部位以外の周辺組織の臓器に流れないようにするため、電極周辺に設ける絶縁材料の構成を変更したものである。例えば、図１８（ａ）〜（ｄ）では、電極２０を覆っている絶縁材料２２ａに、さらに、別の絶縁材料２２ｂ（２枚）を羽にようにつけた例である。また、膵臓と脾臓との間に独立した絶縁材料２２ｃも挿入してある。
【００５３】
絶縁材料の追加による、加温対象臓器及び周辺臓器への加温状態を調べるために、絶縁材料２２を電極の周辺（羽なし）のみにした場合（ノーマルモデル）と、図１８に示すように絶縁材料２２ａ〜２２ｃを設けた場合（絶縁材料追加モデル）において、同じ電力を送った場合のＳＡＲ分布を電磁界解析により比較した。
【００５４】
図１９に示した解析モデルにおけるＢ−Ｂ'断面のＳＡＲ分布を、ノーマルモデルについて図２０（ａ）に、絶縁材料追加モデルについて同図（ｂ）に示す。なお、加温対象臓器である膵臓にいては、ＳＡＲ分布を表示しておらず、表示できている部分は、全て膵臓以外の臓器であるため、図２０中の白色の部分は周辺臓器の加温部に相当する。
【００５５】
図２０（ａ）より、脾臓の部分において、ＳＡＲ分布が白色となっており、ＳＡＲが大きくなっていることがわかる。一方、同図（ｂ）においては、ＳＡＲ分布の白色部分が少なくなっており、ＳＡＲが小さいことがわかる。膵臓に吸収される総電力は、電源から送電された全電力のうち、ノーマルモデル：絶縁材料追加モデルの比が90.5％：92.4％、周辺臓器の代表として脾臓では、ノーマルモデル：絶縁材料追加モデルの比が1.98％：0.6％（膵臓に吸収される電力の比はノーマルモデル：絶縁材料追加モデル＝0.03Ｗ：0.009Ｗ）となっており、絶縁材料の追加により、周辺臓器の加温を防ぐ効果があることがわかった。
【符号の説明】
【００５６】
１０   体内局所加温装置
１２   送電部
１４   受電部
１６   受電コイル
１８   絶縁材料
２０   電極
２２   絶縁材料
【図２】
2013215354.tif 000008
【図３】
2013215354.tif 000009
【図１】
2013215354.tif 000010
【図４】
2013215354.tif 000011
【図５】
2013215354.tif 000012
【図６】
2013215354.tif 000013
【図７】
2013215354.tif 000014
【図８】
2013215354.tif 000015
【図９】
2013215354.tif 000016
【図１０】
2013215354.tif 000017
【図１１】
2013215354.tif 000018
【図１２】
2013215354.tif 000019
【図１３】
2013215354.tif 000020
【図１４】
2013215354.tif 000021
【図１５】
2013215354.tif 000022
【図１６】
2013215354.tif 000023
【図１７】
2013215354.tif 000024
【図１８】
2013215354.tif 000025
【図１９】
2013215354.tif 000026
【図２０】
2013215354.tif 000027